(57)【特許請求の範囲】
【請求項１】
光源となる発光素子と、該発光素子からの光に基づく散乱光を受光する受光素子と、間隔を有して環状に周設されることでその内側に光学室を形成する複数のラビリンス壁と、前記光学室の外側に設置される防虫網とを備え、前記光学室内部で前記発光素子からの光が外部からの煙に照射されることで発生する散乱光を前記受光素子が受光して煙量の検知がなされる煙検知器において、
前記防虫網の外周面から外側に突出した形状の１以上の遮断板が前記防虫網の外周面に沿って設けられることを特徴とする煙検知器。
【請求項２】
請求項１において、
前記防虫網が、前記ラビリンス壁の外側を覆うとともに、
前記遮断板が、前記ラビリンス壁の外側の端部となる基端部に整列して配置されることを特徴とする煙検知器。
【請求項３】
請求項１又は請求項２において、
前記発光素子及び前記受光素子のそれぞれを覆う２つの収容部を前記光学室内に備え、
前記遮断板が、前記収容部に対応する位置に配置されることを特徴とする煙検知器。
【請求項４】
請求項１乃至請求項３のいずれか一項において、
前記遮断板が、前記防虫網と一体に成形されることを特徴とする煙検知器。
【請求項５】
請求項１において、
前記防虫網が、少なくとも一部の前記ラビリンス壁同士の間隙に挿入されて設置されるとともに、
前記遮断板が、前記防虫網を介在して設置された前記ラビリンス壁における前記防虫網よりも外側部分によって構成されることを特徴とする煙検知器。
【請求項６】
請求項５において、
前記光学室内に、
前記発光素子及び前記受光素子のそれぞれを覆う２つの収容部と、
前記収容部間を結ぶ経路上に設けられるとともに、前記発光素子からの光の前記受光素子に対する直接の入射を遮断する遮光壁と、
を備え、
前記防虫網の一部が、前記遮光壁が設けられる前記収容部間を結ぶ経路上で、且つ前記ラビリンス壁の内側に設けられることを特徴とする煙検知器。
【請求項７】
請求項１乃至請求項６のいずれか一項において、
前記遮断板を、前記光学室の中心から放射状となる方向に突出させたことを特徴とする煙検知器。
【請求項８】
請求項１乃至請求項６のいずれか一項において、
前記遮断板を、前記ラビリンス壁の外側部分を延長させた方向に突出させたことを特徴とする煙検知器。
【請求項９】
請求項１乃至請求項６のいずれか一項において、
前記遮断板を、前記防虫網に設けられた孔の貫通させた方向と平行となる方向に突出させたことを特徴とする煙検知器。
【請求項１０】
請求項１乃至請求項９のいずれか一項において、
前記ラビリンス壁が、前記防虫網と一体に成形されることを特徴とする煙検知器。
【発明の詳細な説明】
【技術分野】
【０００１】
本発明は、煙量の検知を行う煙検知器に関するもので、特に、煙に光を照射して得られた散乱光を受光することで煙量の検知を行う光電式の煙検知器に関するものである。
【背景技術】
【０００２】
一般に、火災を報知する火災報知用の警報器として、室内の温度を検出する熱感知素子を備えた熱感知式の警報器や、煙検知器を備えた煙検知式の警報器や、両方式を備えた警報器などが提供されている。熱感知式の警報器は、熱感知素子により検出された温度が高温となったときに、火災が発生したものと判断して、警報の発報を行う。一方、煙検知式の警報器は、煙検知器が測定した煙量が多くなったときに、火災が発生したものと判断して、警報の発報を行う。そして、煙検知式の警報器に利用される煙検知器として、煙への光照射に基づく散乱光を受光したときの受光量によって煙量の検知を行う、光電式の煙検知器が提供されている。
【０００３】
このような煙検知器として、本出願人は、特許文献１に示すような、たばこの煙や水蒸気が誘導されにくく、火災による煙が誘導されやすい煙感知器を提案している。この特許文献１に示される光電式の煙検知器を備えた、従来の警報器の構成について、図１０の分解斜視図を参照して簡単に説明する。
【０００４】
図１０に示す警報器は、発光ユニット及び受光ユニット等の光学系部品を備えた光学基台１と、発光ダイオードＬ及びフォトダイオードＰＤの光学系素子や各種回路部品が実装される回路基板２と、発光ユニット及び受光ユニットが挿入される光学室の内部に虫などが侵入するのを防止する防虫カバー３と、火災を検知すると警報音を鳴動する板状スピーカ４と、板状スピーカ４及び防虫カバー３を囲う保護カバー５と、回路基板２を内蔵する筐体６とを、有する。尚、図１０の分解斜視図は天地が逆になっており、紙面下方側が天井面等の設置面側となる。
【０００５】
筐体６は、その裏面が設置面に当接されて固定される略円盤状の基台６０と、この基台６０の外周縁より設置面から離れる方向に突出させたリング状の側壁６１と、この側壁６１における基台６０に覆われる端部と逆側の端部を覆う略円盤状の主部６２とを有する。この筐体６における主部６２は、側壁６１との接続部分から中心に向かって、設置面と逆方向に盛り上がった形状となり、その中心部分には円状の開口部６３が形成される。
【０００６】
このような構成の筐体６に対して、その内部に回路基板２が収容されるとともに、光学基台１、防虫カバー３、及びスピーカ４が収容された保護カバー５を筐体６の開口部６３に挿入することで、主部６２の開口部６３より突出した状態に組み付けられる。そして、筐体６内部に設置される回路基板２には、光学基台１と対向する面に、発光素子を構成する発光ダイオードＬと、受光素子を構成するフォトダイオードＰＤとが実装されるとともに、各部の動作を制御する制御回路などの複数の回路部品が搭載される。
【０００７】
煙検知用の光学室が構成される光学基台１は、略円板状の底板１１と、底板１１の縁部に回路基板２に向かって突出した周壁１２とを備える。そして、底板１１の防虫カバー３と対向する面には、プリズムガラスなどで構成される発光ユニット及び受光ユニットを取り囲むように、複数のラビリンス壁１３が周設けられている。又、この光学基台１は、回路基板２上の発光ダイオードＬ及びフォトダイオードＰＤをそれぞれ収容する収容部１４，１５が、一体に形成される。この収容部１４，１５それぞれに、光学基台１の底板１１を貫通して、発光ダイオードＬ及びフォトダイオードＰＤそれぞれが収容されることで、発光ダイオードＬ及びフォトダイオードＰＤを外来ノイズからシールドすることができる。
【０００８】
防虫カバー３は、虫や埃等が光学基台１で構成される光学室内に入らないように防虫網３３を有した構造としている。そして、この防虫網３３を保持する外枠３１は、光学基台１との対向する側の端部が光学基台１の周壁１２と嵌合されるように構成されるとともに、反対側の端部にスピーカ４を収納する丸穴３２が設けられる。又、スピーカ４は、保護カバー５の底部５１に載置され、取付状態においては、防虫カバーの丸穴３２に嵌り込む形状になっている。更に、保護カバー５は有底円筒状に形成され、その周壁５２には周方向に沿って開口部５２ａが形成されており、該開口部５２ａから煙が流入するようになっている。
【０００９】
この図１０に示す構成の警報器では、保護カバー５の開口部５２ａの間隙より流入される煙が、更に、防虫カバー３に設けられた防虫網３３の孔を通過して、光学基台１で構成される光学室内に誘導される。そして、光学基台１においては、周設されたラビリンス壁１３の内側に構成される光学室内に煙が流入することで、発光ダイオードＬからの光が煙に照射されて、光学室内で散乱光が発生する。この光学室内の散乱光をフォトダイオードＰＤによって受光すると、その受光量に応じた電気信号に変換して、回路基板２上に搭載された制御回路に与えることで、煙量の検知が成される。即ち、防虫カバー３に覆われた光学基台１と、回路基板２上の発光ダイオードＬ及びフォトダイオードＰＤとによって、煙検知器が構成されている。
【特許文献１】特開平０９−１５３１８７号公報
【発明の開示】
【発明が解決しようとする課題】
【００１０】
この図１０に示す警報器における光学基台１及び防虫網３３で構成される光学室周辺の、スピーカ４側から見た概略平面図を、図１１に示す。図１１に示すように、周設されたラビリンス壁１３の外周側を覆うように、多孔構造となる防虫網３３が設置されている。このため、図中の矢印のように、警報器の外部を流れている煙は、防虫網３３に設けられる孔が小さいことにより、防虫網３３に沿って流れてしまう。これにより、光学室内に流入される煙量が低減し、煙検知に対する感度が低下するという問題があった。
【００１１】
このような問題に鑑みて、本発明は、外側に突出させた遮断板を防虫網に設けることにより、防虫網に沿った煙の流れを遮断して、防虫網内部へ煙を誘導させることのできる煙検知器を提案することを目的とする。
【課題を解決するための手段】
【００１２】
上記目的を達成するために、本発明の煙検知器は、光源となる発光素子と、該発光素子からの光に基づく散乱光を受光する受光素子と、間隔を有して環状に周設されることでその内側に光学室を形成する複数のラビリンス壁と、前記光学室の外側に設置される防虫網とを備え、前記光学室内部で前記発光素子からの光が外部からの煙に照射されることで発生する散乱光を前記受光素子が受光して煙量の検知がなされる煙検知器において、前記防虫網の外周面から外側に突出した形状の１以上の遮断板が前記防虫網の外周面に沿って設けられることを特徴とする。
【００１３】
このような煙検知器において、前記防虫網の外周面に沿って突出した前記遮断板が設けられることにより、前記防虫網の外周面に沿う煙流が、当該遮断板によって遮断されるため、結果的に、前記防虫網に設けられた微小な孔に煙を誘導することができる。
【００１４】
このとき、前記防虫網が、前記ラビリンス壁の外側を覆うとともに、前記遮断板が、前記ラビリンス壁の外側の端部となる基端部に整列して配置されるものとし、前記ラビリンス壁の間隙が前記遮断板によって遮蔽されることのない構成とすることで、前記光学室内への煙の流入が妨げられることを防ぐことができる。
【００１５】
又、前記発光素子及び前記受光素子のそれぞれを覆う２つの収容部を前記光学室内に備えるとき、前記遮断板を、前記収容部に対応する位置、換言すれば、前記光学室内への煙の流入を妨げない位置に配置するものとしてもよい。
【００１６】
上述の各煙検知器において、前記遮断板が、前記防虫網と一体に成形されるものとしてもよい。これにより、薄い多孔板を環状に形成することで構成される前記防虫網の剛性を、前記遮断板によって高めることができるだけでなく、金型成型により形成される場合の樹脂の成型流動性を良好なものとし、成型品となる前記防虫網の歩留まり率を低下させることができる。
【００１７】
又、前記防虫網が、少なくとも一部の前記ラビリンス壁同士の間隙に挿入されて設置されるとともに、前記遮断板が、前記防虫網を介在して設置された前記ラビリンス壁における前記防虫網よりも外側部分によって構成されるものとしてもよい。即ち、前記防虫網に設けられた孔の大きさよりも幅の広い間隙が相互に設けられた前記ラビリンス壁によって、前記防虫網に沿う煙流を遮断し、前記光学室内に煙を誘導することができる。
【００１８】
このような煙検知器において、更に、前記光学室内に、前記発光素子及び前記受光素子のそれぞれを覆う２つの収容部と、前記収容部間を結ぶ経路上に設けられるとともに、前記発光素子からの光の前記受光素子に対する直接の入射を遮断する遮光壁と、を備え、前記防虫網の一部が、前記遮光壁が設けられる前記収容部間を結ぶ経路上で、且つ前記ラビリンス壁の内側に設けられるものとしてもよい。
【００１９】
上述の各煙検知器において、前記遮断板を、前記光学室の中心から放射状となる方向に突出させるものとしてもよいし、前記ラビリンス壁の外側部分を延長させた方向に突出させるものとしてもよいし、前記防虫網に設けられた孔の貫通させた方向と平行となる方向に突出させるものとしてもよい。
【００２０】
上述の各煙検知器において、更に、前記ラビリンス壁が、前記防虫網と一体に成形されるものとしてもよい。これにより、薄い多孔板を環状に形成することで構成される前記防虫網の剛性を、前記ラビリンス壁によって高めることができるだけでなく、金型成型により形成される場合の樹脂の成型流動性を良好なものとし、成型品となる前記防虫網の歩留まり率を低下させることができる。
【発明の効果】
【００２１】
本発明によると、防虫網の外周面に沿って突出した遮断板が設けられることにより、防虫網の外周面に沿う煙流を遮断板によって遮断することができる。これにより、遮断板によって遮断された煙が、防虫網に設けられた微小な孔に誘導されることとなり、光学室内に流れ込む煙量を増加させることができ、煙検知器における感度を上昇させることができる。
【発明を実施するための最良の形態】
【００２２】
以下に、本発明の煙検知器の実施の形態について、例えば、上述した図１０に示す煙検知式の警報器に採用したものを代表して説明するが、この図１０に示す構成の警報器に限定するものではなく、以下で説明する光学室周辺の構成を備える煙検知器であれば、他の構成のものでも採用可能である。又、以下の各実施形態では、その特徴部分となる光学室周辺の構成を中心に説明するものとし、その他の部分の構成などについては、上述の図１０の警報器における説明を参照し、その詳細な説明は省略する。
【００２３】
＜第１の実施形態＞
本発明における第１の実施形態の煙検知器について、図面を参照して説明する。図１は、本実施形態の煙検知器における光学室周辺の構成を示す概略平面図である。尚、図１の平面図は、上述のように図１０の警報器に組み込まれた煙検知器において、スピーカ４側から見た概略図であり、図１１に示す構成と同一の部分については同一の符号を付して、その詳細な説明は省略する。
【００２４】
図１に示すように、本実施形態の煙検知器は、光学基台１（図１０参照）における底板１１の外周側に周設された複数のラビリンス壁１３によって光学室が構成され、この光学室内には、回路基板２（図１０参照）に電気的に接続された発光ダイオードＬ及びフォトダイオードＰＤを収容する収容部１４，１５と、発光ダイオードＬからの放射光が直接フォトダイオードＰＤに入射されることを防ぐ遮光壁１６とが、設けられる。
【００２５】
又、周設された複数のラビリンス壁１３を覆うように、ラビリンス壁１３の外側の基端部よりも更に外周側に、虫や埃が光学室内に侵入することを防ぐ多孔状の防虫網３３が設置され、この防虫網３３に当接するとともに更に外側に突出させた遮断板３４が、防虫網３３の外周面に沿って設けられる。この図１に示す光学室周辺の構成を備える煙検知器における、光学室周辺における各構成部品の詳細について、以下に説明する。
【００２６】
ラビリンス壁１３は、図１の平面図のように、「く」の字形状に屈曲させた底板１１と平行な断面を底板１１に対して垂直な方向に連続に延ばした構造とされる。これにより、ラビリンス壁１３の基端部外側からの外光の入光を妨げることができ、複数のラビリンス壁１３の内側の先端部が断続的に配置されて形成される空間を、煙検知用の光学室として構成することができる。このラビリンス壁１３は、周方向に隣接したもの同士に間隙が設けられて設置されるため、外部から流入する煙は、ラビリンス壁１３間にできる間隙による通路を通過して、ラビリンス壁１３の先端部側の光学室内に誘導される。
【００２７】
このラビリンス壁１３と略同心円状となる位置に配置される収容部１４，１５はそれぞれ、内側の光学室側に向かって開口されて、その底板１１と平行な断面が「コ」の字形状に構成される。即ち、その発光部を内側の光学室側に向けて、発光ダイオードＬが配置されるとともに、この発光ダイオードＬの発光部よりも内側に対応する位置に、収容部１４の開口部が設けられることで、発光ダイオードＬからの光が光学室内に出射される。同様に、その受光部を内側の光学室側に向けて、フォトダイオードＰＤが配置されるとともに、このフォトダイオードＰＤの受光部よりも内側に対応する位置に、収容部１５の開口部が設けられることで、光学室内の散乱光による入射光がフォトダイオードＰＤに入射される。
【００２８】
又、発光ダイオードＬとフォトダイオードＰＤとが、それぞれの光軸が底板１１と平行な面で平行とならずに交差する位置に設置される。そして、発光ダイオードＬ及びフォトダイオードＰＤそれぞれは、その発光部及び受光部以外が収容部１４，１５により覆われるとともに、発光ダイオードＬとフォトダイオードＰＤとを結ぶ直線上に、内側の光学室側に向かって分岐させた「Ｙ」の字形状となる遮光壁１６が設置される。
【００２９】
これにより、収容部１４，１５及び遮光壁１６によって、発光ダイオードＬからの光がフォトダイオードＰＤに直接入射されることが防がれる。よって、発光ダイオードＬからの光が光学室内に流入した煙に照射されることで発生する散乱光の光のみを、フォトダイオードＰＤで受光することができ、フォトダイオードＰＤの受光量が、光学室内の煙による散乱光の光量を表すこととなる。
【００３０】
このように、ラビリンス壁１３、収容部１４，１５、及び遮光壁１６が底板１１上に設置される光学基台１を覆うように、光学基台１の外周側に、煙以外の埃や虫が通過不可能となる微細な孔が設けられた多孔状の防虫網３３が設置される。この防虫網３３が設けられることで、光学基台１の内側に構成される光学室内部に、煙以外の埃や虫が入り込むことを防ぐことができる。そのため、埃や虫による迷光を防いで、光学室内において煙の検知のみを行うことができる。
【００３１】
更に、この防虫網３３の外周面から突出させた遮断板３４が、防虫網３３の周面に沿って複数設置されるとともに、その防虫網３３との当接部分がラビリンス壁１３の外側の基端部と防虫網３３を介在して相対する位置に配置されるように、整列される。これにより、防虫網３３の外周面より突出させた遮断板３４が、ラビリンス壁１３の基端部より突出させたものと同等とすることができ、隣接するラビリンス壁１３による間隙が遮断板３４により覆われることを防ぐことができる。又、遮断板３４の防虫網３３より突出する方向は、光学室の中心からの放射方向とされる。即ち、図１のように、底板１１が円盤状となる場合は、遮断板３４の突出方向が底板１１の径方向となり、防虫網３３の外周面に対して垂直な方向となる。
【００３２】
この遮断板３４が設けられることによって、本実施形態の煙検知器は、防虫網３３に設けられる微細な孔に煙を通過させて、防虫網３３に覆われた光学室内部に煙をより多く流入させることができる。この防虫網３３の外周面に設けられた遮断板３４の機能について、図１の矢印によって示す煙の流れを参照して、以下に説明する。
【００３３】
［発明が解決しようとする課題］で説明したように、外部より流れ込む煙の流れは、煙検知器に設けられた防虫網３３に衝突すると、図１１の矢印に示すように、防虫網３３に沿って煙が流れる。本実施形態の煙検知器においても同様、図１の矢印に示すように、外部から流れ込んで防虫網３３に衝突した煙は、防虫網３３に沿った流れを形成する。この防虫網３３に沿った流れとなる煙流は、十分な流速を有するため、上述したように、防虫網３３の微小な孔に向かう煙の量が少なくなり、防虫網３３を通過する煙量が低減させる原因となる。
【００３４】
これに対して、図１に示すように、防虫網３３より突出した形状の遮断板３４が設けられることで、防虫網３３の外周面に沿った煙流が遮断板３４により遮られる。即ち、防虫網３３の外周面に沿って流れる煙は、その流れが遮断板３４によってせき止められ、その流速を低下させることができる。又、遮断板３４が、光学室に対して放射させた方向に突出しているため、遮断板３４の突出させた外側（防虫網３３との当接部分と逆側）の端部で衝突した煙が、遮断板３４に沿って防虫網３３側に流れる。
【００３５】
よって、図１の矢印のように、遮断板３４の外側から内側に向かう方向の流れが形成され、この流れに沿って煙が流れるため、防虫網３３に向かって煙が流れることとなる。このとき、遮断板３４により煙流の流速も低下するため、防虫網３３の外周面に到達した煙の多くが、防虫網３３を貫通させた微小な孔を通過して、ラビリンス壁１３の基端部に誘導される。これにより、防虫網３３の内側に設けられたラビリンス壁１３の間隙に、外部からの煙を多く通過させて、より多くの煙を光学室内に流入させることができる。
【００３６】
このように、本実施形態では、外側に向かって突出させた遮断板３４を、防虫網３３の外周面に設けることによって、防虫網３３を通過させる煙の量を増加させて、結果的に、光学室内へ流入させる煙の量を増加させることができる。よって、光学室内へ流入される煙量を増加させることができるため、煙検知器における煙の検出感度を高めることができる。
【００３７】
尚、本実施形態における遮断板３４は、防虫網３３と別部品として構成してもよいが、防虫網３３と一体成型されることで、その部品点数を低減させるものとしてもよい。図２及び図３に示す平面図には、遮断板３４ｘと共に一体成型される防虫網３３ｘ，３３ｙの構成を示す。尚、図２では、遮断板３４ｘのみと一体成型される防虫網３３ｘの構成を示し、図３では、遮断板３４ｘだけでなく、ラビリンス壁１３及び収容部１４，１５とも一体成型される防虫網３３ｙの構成を示す。
【００３８】
図２に示す防虫網３３ｘは、環状に形成された薄い多孔板の外周面に、外側に突起させた遮断板３４ｘが接続された構成となる。又、図３に示す防虫網３３ｙは、周設されるラビリス壁１３の基端部側の間隙を覆うように、このラビリンス壁１３の基端部側の間隙に薄い多孔板が嵌められるとともに、一部のラビリンス壁１３の基端部に遮断板３４ｘを接続させた構成となる。
【００３９】
この図２及び図３に示す構成の防虫網３３ｘ，３３ｙはそれぞれ、環状に形成された薄い多孔板のみで構成される防虫網３３と比べて、遮断板３４ｘやラビリンス壁１３及び収容部１４，１５などの他の部品と連設されるように一体成型された構成となるため、その剛性を高めることができる。特に、図３の防虫網３３ｙにおいては、周設されたラビリンス壁１３と一体成型化されるため、その効果がより大きくなる。
【００４０】
又、防虫網３３，３３ｘ，３３ｙはそれぞれ、金型に樹脂を流し込むことにより成型される。このとき、他の部品と連設されることのない防虫網３３の場合、樹脂を流し込む金型の溝が狭いため、十分に樹脂が流れ込まずに不良品となってしまうことが多く、歩留まりの原因となる。それに対して、防虫網３３ｘ，３３ｙでは、遮断板３４ｘやラビリンス壁１３及び収容部１４，１５などの他の部品と一体成型がなされるため、成型流動性をよくすることができ、その歩留まり率を低下させることができる。特に、図３の防虫網３３ｙにおいては、周設されたラビリンス壁１３と一体成型化されるため、その効果がより大きくなる。
【００４１】
＜第２の実施形態＞
本発明における第２の実施形態の煙検知器について、図面を参照して説明する。図４は、本実施形態の煙検知器における光学室周辺の構成を示す概略平面図である。尚、図４の平面図は、図１の平面図と同様、図１０の警報器におけるスピーカ４側から見た概略図であり、図１に示す構成と同一の部分については同一の符号を付して、その詳細な説明は省略する。
【００４２】
図４に示すように、本実施形態の煙検知器は、遮断板３４の形状が、第１の実施形態における煙検知器（図１参照）と異なり、遮断板３４の防虫網３３側と当接した端部に近接する位置における、ラビリンス壁１３の屈曲部から基端部へ延びた方向と同一方向に突出させた形状となる。即ち、このラビリンス壁１３、防虫網３３、及び遮断板３４の関係により、複数のラビリンス壁１３の一部の基端部を防虫網３３より外側に延長させたものと等しい形状となる。この遮断板３４の形状以外の構成については、第１の実施形態と同様とするため、その詳細な説明は省略する。
【００４３】
このように、本実施形態における煙検知器は、ラビリンス壁１３の屈曲部から基端部側への延出方向と同方向に、遮断板３４を防虫網３３の外周面から突出させた形状となる。そのため、ラビリンス壁１３の屈曲部から基端部側に構成される間隙による通路を、防虫網３３よりも外部に延ばすととともに、その通路の片側の壁を開放させたものと等しい形状となる。
【００４４】
これにより、第１の実施形態と同様、外部から流れてくる煙が防虫網３３に衝突して、防虫網３３に沿った煙流が形成されるとき、この防虫網３３に沿う煙流を遮断板３４でせき止める。そして、この遮断板３４による煙流のせき止めに基づいて、遮断板３４の外側の端部から防虫網３３に向かう煙流が形成される。このとき、本実施形態では、遮断板３４の突出方向が、ラビリンス壁１３の基端部側の延出方向と同一となるため、ラビリンス壁１３の基端部側の延出方向に沿った煙流が、遮断板３４によって形成される。
【００４５】
よって、ラビリンス壁１３間の間隙に煙が流入しやすくなるため、防虫網３３の微小孔を通過してラビリンス壁１３の間隙に流入する煙量が増加させることができる。又、このラビリンス壁１３の間隙に流入した煙も、その流れの方向が、ラビリンス壁１３に沿ったものとなるため、ラビリンス壁１３の先端部における光学室まで誘導されやすくなる。その結果、光学室に流れ込む煙量を多くするだけでなく、光学室までの煙の到達時間を短くすることができ、煙検知器の感度を更に高めることができる。
【００４６】
尚、本実施形態においても、第１の実施形態と同様、図２の防虫網３３ｘのように、図４のような形状の遮断板と防虫網とが一体成型されるものとしてもよいし、図３の防虫網３３ｙのように、更にラビリンス壁１３及び収納部１４，１５とも一体成型されるものとしてもよい。このようにすることで、第１の実施形態で説明した通り、防虫網の剛性を高めるだけでなく、成型時の樹脂の成型流動性をよくして、その歩留まり率を低下させることができる。
【００４７】
＜第３の実施形態＞
本発明における第３の実施形態の煙検知器について、図面を参照して説明する。図５は、本実施形態の煙検知器における光学室周辺の構成を示す概略平面図である。尚、図５の平面図は、図１の平面図と同様、図１０の警報器におけるスピーカ４側から見た概略図であり、図１に示す構成と同一の部分については同一の符号を付して、その詳細な説明は省略する。
【００４８】
図５に示すように、本実施形態の煙検知器は、遮断板３４の形状が、第１の実施形態における煙検知器（図１参照）と異なり、防虫網３３に設けられた微小な孔３３ａ（図６参照）の貫通方向と同一方向に突出させた形状となる。図６には、この防虫網３３の孔３３ａと遮断板３４との関係を示すために、図５において一点鎖線で示される領域Ａの拡大断面（底板１１に平行な平面による断面）を示す。尚、本実施形態において、この遮断板３４の形状以外の構成については、第１の実施形態と同様とするため、その詳細な説明は省略する。
【００４９】
防虫網３３は、環状となる薄い多孔板を樹脂により成型して構成するため、内側から外側に貫通させる孔３３ａを放射状に形成するには、成型のための金型の製造が困難なものとなる。そのため、金型製造を簡単なものとするために、防虫網３３の構造として、図６に示すように、孔３３ａ全ての貫通させる方向を平行な方向としているものが多く使用されている。
【００５０】
そのため、第１及び第２の実施形態（図１及び図４参照）のように遮断板３４の突出方向を決定した場合、孔３３ａの貫通方向と異なる方向に遮断板３４が突出するものがあり、孔３３ａに対する流入が困難となる煙流を形成してしまう場合がある。これに対して、本実施形態においては、孔３３ａと同一方向に遮断板３４が突出することとなるため、遮断板３４によって形成される煙流の方向が、孔３３ａを通過させる方向と同一方向となり、結果、防虫網３３内部への誘導をより円滑に行える。
【００５１】
尚、実施形態においても、第１及び第２の実施形態と同様、図２の防虫網３３ｘのように、図５のような形状の遮断板と防虫網とが一体成型されるものとしてもよいし、図３の防虫網３３ｙのように、更にラビリンス壁１３及び収納部１４，１５とも一体成型されるものとしてもよい。
【００５２】
＜第４の実施形態＞
本発明における第４の実施形態の煙検知器について、図面を参照して説明する。図７は、本実施形態の煙検知器における光学室周辺の構成を示す概略平面図である。尚、図７の平面図は、図１の平面図と同様、図１０の警報器におけるスピーカ４側から見た概略図であり、図１に示す構成と同一の部分については同一の符号を付して、その詳細な説明は省略する。
【００５３】
図７に示すように、本実施形態の煙検知器は、第１の実施形態における煙検知器（図１参照）に更に、収納部１４，１５に対応する位置において、防虫網３３より外側に突出させた遮断板３４ａを備えた構成となる。即ち、発光ダイオードＬ及びフォトダイオードＰＤそれぞれの外側（光学室と逆側）を遮光する収納部１４，１５の外周側の壁と、防虫網３３を介在して相対する位置に、遮断板３４ａが設けられる。追加した構成となる遮断板３４ａ以外の構成については、第１の実施形態と同様とするため、その詳細な説明は省略する。
【００５４】
このように本実施形態の煙検知器では、収納部１４，１５の設置位置から煙の流入が不可能であることより、収納部１４，１５それぞれの外周側の壁と同一面となる断面を防虫網３３の外周面から放射状に突出させた形状となる遮断板３４ａを、収納部１４，１５それぞれに対応する位置に設置する。これにより、遮断板３４ａが、ラビリンス壁１３の基端部に対応する位置に設置された遮断板３４と同様、防虫網３３の外周面に沿う煙流をせき止めて、防虫網３３の孔へ煙を通過させて光学室内部に誘導させることができる。
【００５５】
尚、本実施形態において、遮断板３４の形状を、第２の実施形態（図４参照）のように、ラビリンス壁１３の基端部側の延出方向に突出させた形状としてもよいし、又、第３の実施形態（図５及び図６参照）のように、防虫網３３の孔３３ａの貫通方向に突出させた形状としてもよい。このとき、更に、遮断板３４ａについても、収納部１４，１５それぞれの外周側の壁と同一の面を、第２の実施形態の遮断板３４と同様に、当該収納部１４，１５に配置されると仮定されるラビリンス壁の基端部側の延出方向に延出させた形状としてもよいし、又、第３実施形態の遮断板３４と同様に、防虫網３３の孔３３ａの貫通方向に延出させた形状としてもよい。
【００５６】
又、本実施形態においても、第１の実施形態における図２及び図３の防虫網３３ｘ，３３ｙと同様、遮断板３４，３４ａと共に一体成型されるものとしてもよい。即ち、本実施形態においては、図２及び図３の構成の防虫網３３ｘ，３３ｙのそれぞれに、更に遮断板３４ａを同時に成型することで、図２及び図３の構成と比べて更に剛性の高い一体成型品として構成することができる。
【００５７】
＜第５の実施形態＞
本発明における第５の実施形態の煙検知器について、図面を参照して説明する。図８は、本実施形態の煙検知器における光学室周辺の構成を示す概略平面図である。尚、図８の平面図は、図４の平面図と同様、図１０の警報器におけるスピーカ４側から見た概略図であり、図４に示す構成と同一の部分については同一の符号を付して、その詳細な説明は省略する。
【００５８】
図８に示すように、本実施形態の煙検知器は、第１の実施形態における煙検知器（図４参照）と異なり、防虫網３３ｚに対してラビリンス壁１３の基端部側を外側に突出させた形状として、このラビリンス壁１３における防虫網３３ｚの外周面からの突出部分を遮断壁として機能させることで、遮断壁３４（図４参照）を省略した構成となる。即ち、ラビリンス壁１３の屈曲部と基端部との間の位置における、ラビリンス壁１３同士の間隙に、防虫網３３ｚを嵌めて設置した構造となる。このラビリンス壁１３と防虫網３３ｚとの関係以外の構成については、第１の実施形態と同様とするため、その詳細な説明は省略する。
【００５９】
本実施形態においては、上述したように、ラビリンス壁１３の屈曲部の外側から基端部の一部を、防虫網３３ｚの外周面から突出させた構成とすることで、この突出部分を、第２の実施形態における遮断壁３４（図４参照）と同様の機能を備えたものとする。このとき、周方向に隣接するラビリンス壁１３同士によって形成される間隙の間隔は、防虫網３３ｚに構成される孔よりも広いため、第２の実施形態のように防虫網３３（図４参照）を最外周に設置した場合と比べて、その周方向に沿った煙流の発生を抑えることができる。
【００６０】
又、周方向に沿った煙流が発生したとしても、その流れに近い方向に周方向に、隣接するラビリンス壁１３同士によって形成される間隙が開口するため、ラビリンス壁１３によって形成される間隙に煙が誘導されやすくなる。更に、このラビリンス壁１３の間隙による通路により、煙を光学室内部に誘導する流れが方向付けられるため、防虫網３３ｚの孔を通過しやすくなり、光学室内部まで誘導される煙量を増加させることができる。
【００６１】
このように構成されるとき、防虫網３３ｚとラビリンス壁１３を別部品としてもよいし、第１の実施形態における図３と同様、収容部１４，１５と共に防虫網３３ｚとラビリンス壁１３とが一体成型されるものとしてもよい。尚、防虫網３３ｚとラビリンス壁１３を別部品とする場合、ラビリンス壁１３同士の間隙、及び、収納部１４，１５とラビリンス壁１３との間隙それぞれに嵌合される多孔板部分を櫛状に連接した形状として、防虫網３３ｚが形成されるものとしてもよい。このとき、図８の紙面に対して垂直な方向から防虫網３３ｚを挿入することで、それぞれの間隙に、防虫網３３ｚの多孔板部分を嵌合させることができる。
【００６２】
＜第６の実施形態＞
本発明における第６の実施形態の煙検知器について、図面を参照して説明する。図９は、本実施形態の煙検知器における光学室周辺の構成を示す概略平面図である。尚、図９の平面図は、図８の平面図と同様、図１０の警報器におけるスピーカ４側から見た概略図であり、図８に示す構成と同一の部分については同一の符号を付して、その詳細な説明は省略する。
【００６３】
図９に示すように、本実施形態の煙検知器は、第５の実施形態における煙検知器（図８参照）と異なり、防虫網３３ｚの代わりに（図８参照）、収容部１４，１５を結ぶ経路よりも外側に位置する部分において、ラビリンス壁１３の先端よりも内側に多孔板が設置されることとなる防虫網３３ｗを備えた構成となる。即ち、防虫網３３ｗを、底板１１と平行となる面に対して「Ｄ」の字状となる環状の形状として、収納部１４と遮光壁１６とにより形成される間隙、及び、収納部１５と遮光壁１６とにより形成される間隙にも嵌合させる。これにより、遮光壁１６よりも外側で且つ収納部１４，１５の間に設けられたラビリンス壁１３が、防虫網３３ｗよりも外側に設けられることとなる。この防虫網３３ｗ以外の構成については、第５の実施形態と同様とするため、その詳細な説明は省略する。
【００６４】
このように、本実施形態では、防虫網３３ｗの一部をラビリンス壁１３の先端部よりも内側に形成するため、防虫網３３ｚ（図８参照）のように、その多孔板部分を全てラビリンス壁１３により形成される間隙に嵌合させた場合と比べて、光学室内への煙の流入量を増加させることができる。即ち、ラビリンス壁１３の間隙のように狭い通路において、微小な孔で形成される防虫網３３ｗによる多孔板が設置された部分については、この多孔板の設置部分において、煙流の淀みが発生する恐れがあり、この淀みにより光学室内への流入が妨げられる場合がある。
【００６５】
よって、本実施形態の防虫網３３ｗの一部を、ラビリンス壁１３の先端部よりも内側に形成することで、少なくともこの一部分においては、ラビリンス壁１３の先端部まで流入しやすくなる。又、当該部分については、ラビリンス壁１３間の間隙よりも広い、収納部１４，１５それぞれと遮光壁１６とにより間隙に、防虫網３３ｗの多孔板部分が設けられることとなるため、光学室内への流入量の抑制率も低くなる。
【００６６】
更に、本実施形態においては、この防虫網３３ｗのラビリンス壁１３の先端部よりも内側に形成する部分が、フォトダイオードＰＤへの入光を規制する遮光壁１６の設置部分側に設けられる。これにより、煙量を検知するための発光ダイオードＬの発光領域とフォトダイオードＰＤの受光領域への埃又は虫の進入を防ぐことができるだけではなく、防虫網３３ｗが原因となる迷光の発生も防ぐことができる。
【００６７】
又、本実施形態においても、第５の実施形態と同様、防虫網３３ｗとラビリンス壁１３を別部品としてもよいし、第１の実施形態における図３と同様、収容部１４，１５と共に防虫網３３ｗとラビリンス壁１３とが一体成型されるものとしてもよい。尚、本実施形態において一体成型が成される場合、遮光壁１６についても一体成型がなされる。又、防虫網３３ｗが嵌合されない部分のラビリンス壁１３については、同時成型されないものとしてもよい。
【００６８】
上述の各実施形態において、ラビリンス壁１３の形状を、上述のように、底板１１に平行な断面を「く」の字状としたものを例に挙げて説明したが、外部光の光学室内への入光を防ぐとともに、外部からの煙の誘導が可能な形状であれば、例えば、底板１１に平行な断面を「Ｚ」の字状としたものなど、他の形状のものとしてもよい。又、防虫網３３ｙのようにラビリンス壁１３との一体成型が成されるとき、ラビリンス壁１３、収容部１４，１５以外に、底板１１や遮光壁１６を含む光学基台１全体と一体成型がなされるものとしてもよい。
【産業上の利用可能性】
【００６９】
本発明は、光電式の煙検知器を備えた火災用の警報器に適用することができる。又、この火災用の警報器以外にも、空気清浄機や空気清浄機能を備えた空気調和装置などにおける粉塵検知を行う検知器に対しても適用することができる。尚、粉塵検知を行う場合は、防虫網に設けた孔が、煙検知の場合よりも大きくなるだけであり、その構成を同一のものとすることができる。
【図面の簡単な説明】
【００７０】
【図１】は、本発明の第１の実施形態の煙検知器における光学室周辺の構成を示す概略平面図である。
【図２】は、遮断板と一体成型された防虫網の構成を示す平面図である。
【図３】は、遮断板及びラビリンス壁と一体成型された防虫網の構成を示す平面図である。
【図４】は、本発明の第２の実施形態の煙検知器における光学室周辺の構成を示す概略平面図である。
【図５】は、本発明の第３の実施形態の煙検知器における光学室周辺の構成を示す概略平面図である。
【図６】は、図５の構成における防虫網の孔と遮断板の関係を示す拡大断面図である。
【図７】は、本発明の第４の実施形態の煙検知器における光学室周辺の構成を示す概略平面図である。
【図８】は、本発明の第５の実施形態の煙検知器における光学室周辺の構成を示す概略平面図である。
【図９】は、本発明の第６の実施形態の煙検知器における光学室周辺の構成を示す概略平面図である。
【図１０】は、煙検知式の警報器の構成を示す分解斜視図である。
【図１１】は、従来の煙検知器における光学室周辺の構成を示す概略平面図である。
【符号の説明】
【００７１】
１                  光学基台
２                  回路基板
３                  防虫カバー
４                  板状スピーカ
５                  保護カバー
６                  筐体
１１                底板
１２                周壁
１３                ラビリンス壁
１４，１５          収容部
１６                遮光壁
３１                外枠
３２                丸穴
３３                防虫網
３３ａ              孔
３３ｘ〜３３ｗ      防虫網
３４                遮断板
３４ａ，３４ｘ      遮断板
５１                底部
５２                周壁
５２ａ              開口部
６０                基台
６１                側壁
６２                主部
６３                開口部
Ｌ                  発光ダイオード
ＰＤ                フォトダイオード
【図１】
0005075671.tif 000002
【図２】
0005075671.tif 000003
【図３】
0005075671.tif 000004
【図４】
0005075671.tif 000005
【図５】
0005075671.tif 000006
【図６】
0005075671.tif 000007
【図７】
0005075671.tif 000008
【図８】
0005075671.tif 000009
【図９】
0005075671.tif 000010
【図１０】
0005075671.tif 000011
【図１１】
0005075671.tif 000012